(57)【要約】      （修正有）【課題】電気コネクタは組立がスピーディーに正確に行え、且つ大規模のバッチ生産に適合し、生産コストを削減できる電気コネクタを提供する。【解決手段】電気コネクタは、絶縁載置板１００、絶縁係止板２００、第１連接端子３１０及び第２連接端子３２０を包含し、絶縁載置板に第１連接端子を収容する凹溝が開設され、且つ第１連接端子は絶縁載置板の表面より露出する第１連接ヘッド３１２を具え、第２連接端子は絶縁係止板に嵌め込まれ並びに絶縁係止板と一体に絶縁載置板に取り付けられ、且つ第２連接端子は絶縁係止板の表面より露出する第２連接ヘッドを具え、絶縁係止板は絶縁載置板に向けて延伸された係止アーム２１０を具え、係止アームが絶縁載置板に係合して絶縁係止板が絶縁載置板に固定される。【選択図】図２
0003157931.tif 000002
【実用新案登録請求の範囲】
【請求項１】
電気コネクタにおいて、絶縁載置板、絶縁係止板、第１連接端子及び第２連接端子を包含し、該絶縁載置板に該第１連接端子を収容する凹溝が開設され、且つ該第１連接端子は該絶縁載置板の表面において露出する第１連接ヘッドを具え、該第２連接端子は該絶縁係止板に嵌め込まれ並びに該絶縁係止板と一体に該絶縁載置板に取り付けられ、且つ該第２連接端子は該絶縁係止板の表面において露出する第２連接ヘッドを具え、該絶縁係止板は該絶縁載置板に向けて延伸された係止アームを具え、該係止アームが該絶縁載置板に係合することで該絶縁係止板が該絶縁載置板に固定されたことを特徴とする、電気コネクタ。
【請求項２】
請求項１記載の電気コネクタにおいて、該係止アームは該絶縁係止板の両側面に設けられ、且つ該係止アームの末端が折り曲げられてフックが形成され、該絶縁載置板の下端面に該フックと係合する溝口が開設されたことを特徴とする、電気コネクタ。
【請求項３】
請求項２記載の電気コネクタにおいて、該絶縁載置板の両側面に該絶縁係止板に向けて延伸された止め板が形成され、該止め板の間に収容エリアが形成され、該絶縁係止板は該収容エリア内に収容固定され、且つ該凹溝は該収容エリアの表面に開設されたことを特徴とする、電気コネクタ。
【請求項４】
請求項３記載の電気コネクタにおいて、該絶縁載置板の一端の両側に外向きに延伸された第１凸塊が設けられ、該溝口は該第１凸塊と該止め板の間に開設されて、該係止アームが該第１凸塊と該止め板の間に係合されることを特徴とする、電気コネクタ。
【請求項５】
請求項３記載の電気コネクタにおいて、該絶縁係止板に該第１連接ヘッドに沿って複数の固定ロッドが延伸され、該固定ロッドが該第１連接端子上に圧接されたことを特徴とする、電気コネクタ。
【請求項６】
請求項５記載の電気コネクタにおいて、該絶縁載置板に該第１連接ヘッドに沿って載置台が延伸形成され、該凹溝が該載置台まで延伸され、該第１連接ヘッドが上向きに隆起して階段が形成され、且つ該第１連接ヘッドが該載置台の凹溝内に収容され並びに該載置台の表面において露出し、該固定ロッドの末端が該階段に当接することを特徴とする、電気コネクタ。
【請求項７】
請求項１記載の電気コネクタにおいて、該絶縁係止板に貫通孔が開設され、該第２連接端子は該貫通孔を貫通し並びに該絶縁係止板に固定されることを特徴とする、電気コネクタ。
【請求項８】
請求項１記載の電気コネクタにおいて、さらに金属ケースを包含し、該金属ケースは該絶縁載置板と該絶縁係止板を被覆することを特徴とする、電気コネクタ。
【考案の詳細な説明】
【技術分野】
【０００１】
本考案は一種のコネクタに係り、特に一種の電子器材間の電気コネクタに関する。
【背景技術】
【０００２】
科学技術の不断の発展に伴い、各種の電子製品の間及びその周辺装置の間の接続はますます複雑となり、電子製品とその周辺装置の間の電気コネクタによる接続は非常に一般的であり、これにより電気コネクタの使用率は増加している。電気コネクタは電子領域で広く応用され、これにより電気コネクタの生産は元来の小規模生産から次第に大規模なバッチ生産へと変化している。また電子製品のリニューアルも日進月歩であり、伝送速度も不断にアップし、これにより要求に対応する電気コネクタの伝送速度もそれに応じてアップされなければ電子製品の間の高速のデータ伝送を実現できない。電気コネクタの伝送速度アップにより、その構造も複雑となり、これにより早期の伝送速度が低く且つ構造が簡単な電気コネクタに使用されていた組立方法では、このような伝送速度が高い電気コネクタをバッチ生産することはできない。このため、各メーカーは電気コネクタの構造を改善して組立ステップを簡易化してスピーディーに組立られるようにし、生産コストを下げられるようにするため、各種の方法を工夫している。
【考案の概要】
【考案が解決しようとする課題】
【０００３】
本考案の目的は、上述の問題に対して、大規模なバッチ生産に適合しスピーディーに正確に組み立てられ、生産コストを下げることができ、生産効率をアップできる、一種の電気コネクタを提供することを課題としている。
【課題を解決するための手段】
【０００４】
上述の目的を達成するため、本考案の電気コネクタは、絶縁載置板、絶縁係止板、第１連接端子及び第２連接端子を包含し、絶縁載置板に第１連接端子を収容する凹溝が開設され、且つ第１連接端子は絶縁載置板の表面より露出する第１連接ヘッドを具え、第２連接端子は絶縁係止板に嵌め込まれ並びに絶縁係止板と一体に絶縁載置板に取り付けられ、且つ第２連接端子は絶縁係止板の表面より露出する第２連接ヘッドを具え、絶縁係止板は絶縁載置板に向けて延伸された係止アームを具え、係止アームが絶縁載置板に係合して絶縁係止板が絶縁載置板に固定される。
【考案の効果】
【０００５】
以上述べたように、本考案の電気コネクタの連接端子はそれぞれ絶縁載置板と絶縁係止板に取り付けられ、且つ絶縁係止板に絶縁載置板に向けて延伸された係止アームが設けられ、係止アームが絶縁載置板と係合させられることで、絶縁係止板が強固に絶縁載置板に固定され、電気コネクタの組立作業が完成する。これにより、電気コネクタの組立が簡単でスピーディー且つ正確に行えるようになり、メーカーは組立過程中に大量の人力物力を節約でき、ゆえにメーカーは資源を節約でき、生産コストを削減できると共に、生産効率をアップできる。
【図面の簡単な説明】
【０００６】
【図１】本考案の電気コネクタの一種の実施例より金属ケースを省いた状態の立体図である。
【図２】図１の電気コネクタの対応部分の分解図である。
【図３】図１の電気コネクタの対応部分の別の分解図である。
【図４】図１の電気コネクタの対応部分のまた別の分解図である。
【図５】図１の電気コネクタの対応部分を金属ケースで被覆した状態の構造表示図である。
【考案を実施するための形態】
【０００７】
本考案の技術内容、構造特徴、その実現する目的と効果は、以下に実施方式と結合され並びに図面を組み合わせて詳細に説明される。
【０００８】
図１に示されるように、本考案の電気コネクタは絶縁載置板１００、絶縁係止板２００、第１連接端子３１０及び第２連接端子３２０を包含し、第１連接端子３１０は絶縁載置板１００に収容され、第２連接端子３２０は絶縁係止板２００に嵌め込まれ、並びに絶縁係止板２００と第２連接端子３２０は一体に絶縁載置板１００に固定される。
【０００９】
具体的には、図２から図４に示されるように、絶縁載置板１００は収容エリア１２０と載置台１３０を包含し、収容エリア１２０の表面に凹溝１２１が開設され、凹溝１２１が前後に収容エリア１２０を貫通し並びに載置台１３０に延伸され、且つ収容エリア１２０の一端両側に外向きに第１凸塊１２２が延伸されている。載置台１３０と収容エリア１２０の接続部分に連接端面が形成され、連接端面より隣り合う凹溝１２１の間に突出部１３１が突出形成され、突出部１３１と凹溝１２１により連接端面が鋸歯状を呈し、突出部１３１は収容エリア１２０に沿って延伸され、並びに隣接する凹溝１２１との間に第２凸塊１３２が形成される。絶縁載置板１００の一端の両側面にそれぞれ上向きに止め板１１０が延伸され、且つ収容エリア１２０は止め板１１０の間に位置する。絶縁載置板１００の下端面において止め板１１０と第１凸塊１２２の間に溝口１２３が開設される。
【００１０】
第１連接端子３１０は第１固定部３１１と第１連接ヘッド３１２で構成される。第１連接ヘッド３１２と第１固定部３１１の接続部分に階段３１３が形成され、階段３１３により第１連接ヘッド３１２が第１固定部３１１に対して上向きに隆起している。第１固定部３１１は収容エリア１２０の表面の凹溝１２１内に収容され、階段３１３は連接端面の凹溝１２１内に収容され、第１連接ヘッド３１２は載置台１３０上の凹溝１２１に収容され並びに載置台１３０の表面において露出し、外部コネクタの連接ヘッドとの接続に供される。本実施例では、第１連接端子３１０と絶縁載置板１００の間の接続をさらに強固にするため、第１固定部３１１は折り曲げ形状に形成され、また、収容エリア１２０の表面の凹溝１２１もそれに対応する形状に設置される。
【００１１】
絶縁係止板２００は絶縁載置板１００の収容エリア１２０内に取り付けられ、且つ絶縁係止板２００の下表面は収容エリア１２０の表面上に圧接され、これにより、絶縁係止板２００は第１連接端子３１０の収容エリア１２０表面の凹溝１２１からの脱出を防止し、これにより、第１連接端子３１０と絶縁載置板１００の間の接続をより強固とすることができる。絶縁係止板２００の両側にその下端面に向けてそれぞれ係止アーム２１０が突伸形成され、且つ係止アーム２１０の末端は折り曲げられてフック２１１が形成されている。該係止アーム２１０は絶縁載置板１００の止め板１１０と第１凸塊１２２の間に係合され、絶縁載置板１００の絶縁係止板２００に対する前後或いは左右スライドの状況を防止する。係止アーム２１０は側面より上下に絶縁載置板１００を貫通し並びにフック２１１は絶縁載置板１００の下端面の溝口１２３と係合し、これにより、絶縁載置板１００と絶縁係止板２００の間に相対的な上下スライドが発生するのを防止する。これにより、係止アーム２１０、フック２１１、第１凸塊１２２、止め板１１０及び溝口１２３の相互組み合わせにより、絶縁載置板１００と絶縁係止板２００が強固に一体に接続され、両者の間に相対スライド運動が発生しない。絶縁係止板２００に前後に絶縁係止板２００を貫通する貫通孔２３０が開設され、貫通孔２３０は第２連接端子３２０を収容並びに固定する。絶縁係止板２００より載置台１３０に沿うように固定ロッド２２０が延伸形成され、固定ロッド２２０は第１連接端子３１０の階段３１３に接触接続し、これにより階段３１３が強固に凹溝１２１内に取り付けられ、絶縁係止板２００の収容エリア１２０からの前向きの脱出が防止される。このほか、絶縁係止板２００の上表面に係止溝２０１が内向きに凹設される。
【００１２】
第２連接端子３２０は第２固定部３２１と第２連接ヘッド３２２で構成され、且つ第２連接ヘッド３２２は第２固定部３２１に対して上向きに突出する。第２連接端子３２０は貫通孔２３０をとおり絶縁係止板２００に固定される。具体的には、第２固定部３２１は貫通孔２３０内に収容され、第２連接ヘッド３２２は外向きに突伸し第２凸塊１３２と固定ロッド２２０の間に嵌合し、並びに上向きに固定ロッド２２０よりも突出し（絶縁係止板２００の表面に露出）、外部コネクタの連接ヘッドとの接続に便利とされる。また、第２凸塊１３２と固定ロッド２２０の第２連接ヘッド３２２との組み合わせにより、第２連接ヘッド３２２の末端の左右の偏りが防止され、これにより第２連接ヘッド３２２が正確に外部コネクタと接続される。
【００１３】
さらに図５に示されるように、本考案の電気コネクタはさらに金属ケース４００を包含し、金属ケース４００は絶縁載置板１００と絶縁係止板２００を被覆し、且つ金属ケース４００の一端に開口４１０が開設され、開口４１０と第１連接ヘッド３１２と第２連接ヘッド３２２がいずれも金属ケース４００の同一端に位置し、外部コネクタは該開口４１０を通り該電気コネクタに接続される。金属ケース４００の上表面に内向きに延伸された係止舌４２０が設けられ、係止舌４２０と絶縁係止板２００の係止溝２０１が係合し、これにより絶縁係止板２００と絶縁載置板１００が金属ケース４００と緊密に接合される。金属ケース４００はその被覆する部材を外界から保護して損壊を防止するのみならず、有効に外部電磁場の第１連接端子３１０及び第２連接端子３２０への影響をシールドする。
【００１４】
以下に図３から図５を参照して本考案の電気コネクタの組立過程を説明する。まず、第１連接端子３１０を取り付ける。すなわち、第１連接端子３１０を絶縁載置板１００の凹溝１２１内に置き、並びに第１連接端子３１０の階段３１３を連接端面の凹溝１２１内に収容し、第１連接ヘッド３１２を載置台１３０上の凹溝１２１内に取り付け並びに載置台１３０の表面において露出させる。その後、第２連接端子３２０を取り付ける。すなわち、第２連接端子３２０を絶縁係止板２００の貫通孔２３０に通し、並びに第２連接ヘッド３２２を第２凸塊１３２と固定ロッド２２０の間に係合させ、並びに上向きに絶縁係止板２００の表面より突出させる。さらに、絶縁係止板２００と第２連接端子３２０を一体に絶縁載置板１００に取り付けて、絶縁係止板２００を収容エリア１２０にアライメントさせ並びに接近させる。すなわち、絶縁係止板２００を収容エリア１２０の上方にあって上から下に絶縁載置板１００に接近させ、絶縁係止板２００の下表面を収容エリア１２０の表面に接触させて絶縁係止板２００を完全に収容エリア１２０内に収容し、並びに係止アーム２１０のフック２１１を絶縁載置板１００の下端面の溝口１２３と係合させる。最後に絶縁載置板１００と絶縁係止板２００を金属ケース４００で被覆し、同時に係止舌４２０を絶縁係止板２００の係止溝２０１と係合させる。これにより本考案の電気コネクタの組立が完成し、外部コネクタが開口４１０を通り電気コネクタと接続されて電気コネクタの機能を実現する。
【００１５】
総合すると、本考案の電気コネクタの組立過程中、スピーディーに便利に絶縁係止板２００を絶縁載置板１００に取り付けることができ、且つさらに両者の間を係止アーム２１０、フック２１１、第１凸塊１２２、止め板１１０及び溝口１２３の相互組み合わせにより強固に結合できる。これにより、該電気コネクタはメーカーに組立過程で大量の人力物力を節約させて、メーカーに資源を節約させ、電気コネクタの生産コストを減らすと同時に生産効率をアップさせることができる。
【符号の説明】
【００１６】
１００  絶縁載置板                      １１０  止め板
１２０  収容エリア                      １２１  凹溝
１２２  第１凸塊                        １２３  溝口
１３０  載置台                          １３１  突出部
１３２  第２凸塊                        ２００  絶縁係止板
２０１  係止溝                          ２１０  係止アーム
２１１  フック                          ２２０  固定ロッド
２３０  貫通孔                          ３１０  第１連接端子
３１１  第１固定部                      ３１２  第１連接ヘッド
３１３  階段                            ３２０  第２連接端子
３２１  第２固定部                      ３２２  第２連接ヘッド
４００  金属ケース                      ４１０  開口
４２０  係止舌
【図１】
0003157931.tif 000003
【図２】
0003157931.tif 000004
【図３】
0003157931.tif 000005
【図４】
0003157931.tif 000006
【図５】
0003157931.tif 000007